(57)【要約】【課題】エネルギー供給関連部品を併設することなく、設定した線形状に沿い運動する原動機を開発する。【解決手段】複数の磁石を一列に並べる並べ方で、磁石どうし間隔をあけ、かつ、反対磁極どうしが向かい合うよう、かつ、設定した線形状に沿うようにした時、設定した線形状から適当な距離以上をおいた位置で個々の磁石の磁場は複合されるが、その複合した磁場の中に、同じ種類の磁極面のみが外を向いている、別の複数の磁石からなる磁石の接合体を位置させるか、または磁石の１磁極端部分を位置させる。【選択図】　図１
2004023994.tif 000002
【特許請求の範囲】
【請求項１】
複数の磁石を一列に並べる並べ方で、磁石どうし適度な間隔をあけ、かつ、反対磁極どうしが向かい合うよう、かつ、設定した線形状に沿うようにした時、設定した線形状から適当な距離以上をおいた位置で個々の磁石の磁場は複合されるが、その複合された磁場の中に、同じ種類の磁極面のみが外を向いている、別の複数の磁石からなる磁石の接合体を位置させるか、または磁石の１磁極端部分を位置させることを特徴とした、磁力を応用した原動機。
【請求項２】
同じ種類の磁極面のみが外を向くように、複数の磁石を接合し固定して作る、請求項１に記す磁石の接合体。
【請求項３】
複数の磁石を一列に並べる並べ方で、磁石どうし適度な間隔をあけ、かつ、反対磁極どうしが向かい合うよう、かつ、設定した線形状に沿うようにし、その設定した線形状から適当な距離以上をおいた位置で、個々の磁石の磁場を複合する装置。
【発明の詳細な説明】
【０００１】
【発明の属する技術分野】
本発明は、エネルギー供給関連部品を構造的に省き、設定した線形状に沿って運動する、磁力を応用した原動機に関するものである。
【０００２】
【従来の技術】
従来の原動機の作動時には、電力または燃料等のエネルギー供給を不可欠とし、原動機本体の他に、燃料タンクと燃料パイプ、または、電池と配線コードなど、エネルギー供給に関連する部品の併設を要するため、構造的な簡便性に欠けていた。
【０００３】
【発明が解決しようとする課題】
エネルギー供給関連部品を併設することなく、設定した線形状に沿って運動する原動機を開発する。
【０００４】
本発明は、エネルギー供給関連部品を併設することなく、設定した線形状に沿って運動可能な、磁力を応用した原動機の提供を目的としている。
【０００５】
【課題を解決するための手段】
上記目的を達成するため、複数の磁石を一列に並べる並べ方を工夫する。つまり、磁石どうし間隔をあけ、かつ、反対磁極どうしが向かい合うよう、かつ、設定した線形状に沿わせて固定する。そして、磁石どうしの間隔が適度である時、設定した線形状から適当な距離以上離れた位置で、個々の磁石の磁場が複合される現象を利用する。
【０００６】
そして、同じ種類の磁極面のみが外を向くよう、別に用意した複数の磁石を接合し、固定して、請求項２に記す磁石の接合体を作る。
【０００７】
請求項３に記す装置が提供する複合された磁場領域中に、請求項２に記す磁石の接合体を入れると、複合された磁場を特徴付ける磁極性と磁石の接合体表面を特徴付ける磁極性との間で、ある磁力ベクトルが決定される。この時、この磁石の接合体は設定された線形状に沿って一方向性の運動を始める。
【０００８】
【発明の実施の形態】
発明の実施の形態を実施例に基づき図面を参照して説明する。
【０００９】
図１は搬送台での応用例を示す斜視図である。
【００１０】
複数の磁石を用意し、１磁極面が内を向き、かつ、反対磁極面が外を向くよう接合し、磁石の接合体１を作る。例えば、図２のように、Ｎ極面のみ外を向くよう、隙間なく磁石を接合して固定する。そうすることで、Ｎ極が優勢である表面を持つ立方体を得ることができる。逆にＳ極面のみ外を向くように接合すれば、Ｓ極が優勢である表面を持つ立方体も得ることができる。
【００１１】
棒磁石の長さを長くするなどして、一個の磁石でのＮ極とＳ極を遠ざける時、棒磁石の各磁極端付近では、Ｎ磁極性またはＳ磁極性のどちらかが優位である磁極性を有するので、棒磁石はその両端付近を考える時、請求項２に記す磁石の接合体の代替品としての性能を具備している。
【００１２】
図３のごとく、複数の磁石を、間隔を空け、かつ、反対磁極どうしが向かい合うよう、かつ、設定した線形状に沿うよう一列に固定する。これら複数の磁石が適当な間隔を保つ時、設定した線形状から適当な距離以上をおいた位置で、個々の磁石の磁場は複合される。
【００１３】
この磁場領域中に、請求項２に記す磁石の接合体を入れると、複合された磁場を特徴付ける磁極性と磁石の接合体表面を特徴付ける磁極性との間で、ある磁力ベクトルが決定される。この時、この磁石の接合体は設定された線形状に沿って一方向性の運動を始める。
【００１４】
請求項３に記す装置の線形状設定に際し、５３個の２５０ｍＴの希土類磁石を、直径５５ｍｍで、中心角３３０度の円弧状に、等間隔に一列に固定し実験した。この円弧を含む平面に垂直に、かつ、この円弧の中心に、アルミニウム製の回転軸を設けた。この回転軸に垂直に８ｍｍの長さの支柱を設け、この支柱の末端に、回転軸に平行に、１２ｍＴの棒磁石を設けた。この棒磁石のＮ極部分は、円弧線を含む平面上で、円弧線から、１９．５ｍｍの距離を保ち回転できる。このＮ極部分が回転する位置では、円弧線上に並ぶ個々の磁石の磁場とは異なる、複合された磁場が存在している。棒磁石と回転軸と支柱を含む質量２．５ｇの回転部分は、円弧線上に並ぶ磁石のＮ極面からＳ極面に向かう方向に、一方向性に、約３００度の回転運動を行うことが、繰り返し確認できた。
【００１５】
この実験で、棒磁石と、複合した磁場領域との距離を調節することで、磁力の大きさを加減できる。
【００１６】
装置全体の材料に関して、木材やアルミニウム等の非磁性体を可能な限り採用し、請求項２に記す磁石の複合体または、棒磁石の一磁極端が磁力運動する時、余分な磁力を振り切ることがないように配慮する。
【００１７】
本発明品の磁力運動は、磁石の製造時に磁石に蓄積されたエネルギーの一部を利用して行われている。磁石の磁気性能は、経時的に低下し、得られるところの磁力の最大値は常に減少傾向にある。
【００１８】
【発明の効果】
本発明は、以上の説明に記す構成よりなり、以下に記す効果を奏する。
【００１９】
設定した線形状に沿って磁力運動する原動機が実現する。
【００２０】
燃料タンクと燃料パイプ、又は電池と配線コード等、エネルギー供給関連部品を併設する必要がなく、構造が簡便になり、さらに、省かれる部品のスペースだけ、原動機システム全体が小型化できる。
【００２１】
パイプの長軸に沿い請求項３に記す磁場を複合する装置を設け、請求項２に記す磁石の接合体をブラシで覆って、パイプの中に入れると、複雑な線形状のパイプの中を清掃する清掃機器としての応用が可能である。
【００２２】
線形状に沿った運動は歯車等を介し、回転運動に変換できる。
【００２３】
スイッチ等の自動戻り装置としての応用ができる。
【図面の簡単な説明】
【図１】本発明品の磁力を利用した搬送台を示す斜視図である。
【図２】本発明品の請求項２に記す、磁石の接合体を示す斜視図である。
【図３】本発明品の請求項３に記す、個々の磁石の磁場を複合する装置を示す斜視図である。
【図４】本発明品を応用したパイプ内清掃機の斜視図である。
【図５】本発明品のスイッチの自動戻り装置での応用例を示す断端図である。
【符号の説明】
１　　請求項２に記す磁石の接合体
２　　請求項３に記す、個々の磁石の磁場を複合する装置
３　　搬送台
４　　軌道ロープ
５　　個々の磁石の固定台
６　　磁石
７　　ブラシで覆われた請求項２に記す磁石の接合体
８　　パイプ
９　　設定された磁力ベクトル
１０　ボタン
１１　磁力
【図１】
2004023994.tif 000003
【図２】
2004023994.tif 000004
【図３】
2004023994.tif 000005
【図４】
2004023994.tif 000006
【図５】
2004023994.tif 000007